(57)【特許請求の範囲】
【請求項１】
建物ユニットを覆うカバー本体と、該カバー本体に形成された吊り具挿通孔と、該吊り具挿通孔内にねじ込まれて前記建物ユニットに取り付けられる閉鎖部材とを備え、該閉鎖部材と前記カバー本体との間には、前記閉鎖部材及び前記カバー本体間を止水する止水手段が設けられ、
前記止水手段は、前記吊り具挿通孔の縁部に水密的に設けられた環状の止水部材を備え、
前記止水部材は、前記閉鎖部材をねじ込んだときに受ける前記建物ユニットへ向けての押圧力により弾性変形する変形部を有するとともに、周方向に伸びる環状の溝を有し、前記変形部は前記溝が広がるように弾性変形することを特徴とする建物ユニット用保護カバーの止水構造。
【請求項２】
前記止水手段は、前記閉鎖部材に形成されて前記止水部材を覆うように張り出す環状の張出部を備え、前記閉鎖部材をねじ込んだときに前記止水部材が前記閉鎖部材の前記張出部と前記建物ユニットとの間に挟持されることにより、前記閉鎖部材及び前記カバー本体間が止水されていることを特徴とする請求項１に記載の建物ユニット用保護カバーの止水構造。
【請求項３】
前記止水部材には、その径方向外方へ開放し、前記吊り具挿通孔の前記縁部が挿入される環状の溝が形成されており、該溝の互いに対向する内面には、それぞれ前記溝内に挿入された前記吊り具挿通孔の前記縁部を挟み込むべく該縁部に向けて突出する複数の突起部が形成されていることを特徴とする請求項２に記載の建物ユニット用保護カバーの止水構造。
【請求項４】
前記止水部材は、前記吊り具挿通孔の前記縁部を補強するための環状の補強部材であることを特徴とする請求項２又は３に記載の建物ユニット用保護カバーの止水構造。
【請求項５】
前記止水手段は、前記閉鎖部材に形成されて前記吊り具挿通孔の縁部を覆うように張り出す環状の張出部を備え、前記閉鎖部材をねじ込んだときに前記止水部材が前記張出部と前記吊り具挿通孔の前記縁部との間に挟持されることにより、前記閉鎖部材及び前記カバー本体間が止水されていることを特徴とする請求項１乃至４のいずれか一項に記載の建物ユニット用保護カバーの止水構造。
【請求項６】
前記止水部材の内周面には、前記止水部材の内径が前記カバー本体の外方から内方へ向けて漸減するように傾斜する傾斜面が前記止水部材の周方向に沿って形成されていることを特徴とする請求項１乃至５のいずれか一項に記載の建物ユニット用保護カバーの止水構造。
【請求項７】
前記閉鎖部材は、前記建物ユニットを吊り上げるための吊り具であることを特徴とする請求項１乃至６のいずれか一項に記載の建物ユニット用保護カバーの止水構造。
【請求項８】
前記閉鎖部材は前記吊り具挿通孔を塞ぐための栓部材であり、該栓部材は、その前記カバー本体の外方側に位置する端面が前記止水部材の前記カバー本体の外方側に位置する面とほぼ面一になるように、前記建物ユニットに取り付けられていることを特徴とする請求項１乃至６のいずれか一項に記載の建物ユニット用保護カバーの止水構造。
【請求項９】
前記止水部材の内周面には前記止水部材の内径が前記カバー本体の外方から内方へ向けて漸減するように傾斜する傾斜面が前記止水部材の周方向に沿って形成されており、前記張出部は、前記栓部材の前記端面を含む端部から前記止水部材の前記傾斜面上に張り出していることを特徴とする請求項８に記載の建物ユニット用保護カバーの止水構造。
【請求項１０】
前記閉鎖部材は、前記建物ユニットを含む複数の建物ユニットを互いに積み重ねたときに該各建物ユニットを互いに連結するための連結部材であることを特徴とする請求項１乃至６のいずれか一項に記載の建物ユニット用保護カバーの止水構造。
【請求項１１】
建物ユニットを覆い、吊り具挿通孔が形成されたカバー本体と、前記吊り具挿通孔の縁部に水密的に設けられ、該吊り具挿通孔内にねじ込まれて前記建物ユニットに取り付けられる閉鎖部材と前記カバー本体との間に設けられ、前記閉鎖部材及び前記カバー本体間を止水するための止水手段とを備え、
前記止水手段は、前記吊り具挿通孔の縁部に水密的に設けられた環状の止水部材を備え、
前記止水部材は、前記閉鎖部材をねじ込んだときに受ける前記建物ユニットへ向けての押圧力により弾性変形する変形部を有するとともに、周方向に伸びる環状の溝を有し、前記変形部は前記溝が広がるように弾性変形することを特徴とする建物ユニット用保護カバー。
【請求項１２】
前記止水手段は、前記閉鎖部材に形成されて前記止水部材を覆うように張り出す環状の張出部を備え、前記閉鎖部材をねじ込んだときに前記止水部材が前記閉鎖部材の前記張出部と前記建物ユニットとの間に挟持されることにより、前記閉鎖部材及び前記カバー本体間が止水されていることを特徴とする請求項１１に記載の建物ユニット用保護カバー。
【請求項１３】
前記止水手段は、前記閉鎖部材に形成されて前記吊り具挿通孔の縁部を覆うように張り出す環状の張出部を備え、前記閉鎖部材をねじ込んだときに前記止水部材が前記張出部と前記吊り具挿通孔の前記縁部との間に挟持されることにより、前記閉鎖部材及び前記カバー本体間が止水されていることを特徴とする請求項１１又は請求項１２に記載の建物ユニット用保護カバー。
【請求項１４】
前記止水部材の内周面には、前記止水部材の内径が前記カバー本体の外方から内方へ向けて漸減するように傾斜する傾斜面が前記止水部材の周方向に沿って形成されていることを特徴とする請求項１１乃至１３のいずれか一項に記載の建物ユニット用保護カバー。
【請求項１５】
請求項１に記載の建物ユニット用保護カバーの止水構造を用いてユニット建物を構成する建物ユニットを搬送する方法であって、前記建物ユニットを建物ユニット用保護カバーのカバー本体により覆い、前記建物ユニットの吊り上げ時には、前記建物ユニット吊り上げるための吊り具を、前記カバー本体の吊り具挿通孔を経て前記建物ユニットにねじ込んだときに前記吊り具に形成された張出部から受ける前記建物ユニットへ向けた押圧力により、前記カバー本体に形成された吊り具挿通孔の縁部に設けられた環状の止水部材の変形部を、周方向に伸びる環状の溝を広げるように弾性変形させて前記張出部を前記カバー本体に水密的に当接させ、前記建物ユニットの輸送時には、前記吊り具に代えて、前記吊り具挿通孔を塞ぐための栓部材を前記カバー本体の吊り具挿通孔を経て前記建物ユニットにねじ込んだときに前記栓部材に設けられた張出部から受ける前記建物ユニットへ向けての押圧力により、前記カバー本体に形成された吊り具挿通孔の縁部に設けられた環状の止水部材の変形部を周方向に伸びる環状の溝を広げるように弾性変形させて前記張出部を前記カバー本体に水密的に当接させることを特徴とする建物ユニットの搬送方法。
【発明の詳細な説明】
【技術分野】
【０００１】
本発明は、ユニット建物を構成する建物ユニットを例えば搬送する際に該建物ユニットを保護するのに好適な建物ユニット用保護カバーの止水構造に関する。
【背景技術】
【０００２】
一般的に、例えばユニット建物を構成する複数個の建物ユニットはそれぞれ木製の板や石膏ボード等のように吸湿性を有する部材で構成されているため、各建物ユニットを製造工場から施工現場に搬送する際、各建物ユニットを例えば雨水から保護すべく各建物ユニットを覆うカバー本体を備える保護カバーが用いられている。
【０００３】
カバー本体の建物ユニットの天井部の四隅に対応する位置には、それぞれアイボルトのような吊り具が挿通される挿通孔が形成されている。各挿通孔の縁部には、一端が各挿通孔でカバー本体内に開放し且つ他端が建物ユニットの例えば保管時に紐により絞られた筒状の袋部材がそれぞれ設けられている。
【０００４】
この保護カバーを用いて建物ユニットを例えば施工現場に搬送する際、各袋部材の他端を開放することにより各建物ユニットの四隅をそれぞれカバー本体の各挿通孔から露出させ、各建物ユニットの四隅にそれぞれ吊り具を各袋部材内で取り付ける。これにより、建物ユニットからカバー本体を取り外すことなく建物ユニットに吊り具を取り付けることができる。次に、各吊り具にクレーンのフックを引っ掛けることによりクレーンを用いて各建物ユニットを吊り上げ、各建物ユニットを輸送用のトラックに積載する。続いて、各袋部材の他端を再び紐により絞ることにより各袋部材の他端を閉鎖する。その後、前記トラックにより各建物ユニットを施工現場に輸送する。
【０００５】
しかしながら、各建物ユニットの保管時及び輸送時に各袋部材の他端を単に紐によって絞ることにより各袋部材の他端を閉鎖することから、各袋部材の他端を水密的に封止することが困難である。このため、各建物ユニットの保管時及び輸送時に水が各袋部材の他端を経て各袋部材内を通り各挿通孔を経てカバー本体内に浸入する虞がある。また、各建物ユニットの輸送時にトラックの走行時に受ける風によって各袋部材にばたつきが生じ、騒音の発生を招く虞がある。
【０００６】
そこで、各建物ユニットの保管時及び輸送時にカバー本体の各挿通孔を水密的に封止し且つ輸送時のカバー本体のばたつきの発生を防止するために、カバー本体に形成された前記各挿通孔の縁部に該縁部からカバー本体の上方へ立ち上がる筒状の台座と該台座の開放した先端を開閉可能な蓋部材とがそれぞれ設けられた保護カバーが提案されている（例えば、特許文献１参照。）。
【０００７】
この保護カバーでは、各建物ユニットの搬送時、各台座から各蓋部材を取り外すことにより各挿通孔を開放し、該各挿通孔から露出した各建物ユニットの天井部の四隅のそれぞれに吊り具を各台座内で取り付ける。次に、前記したと同様に各建物ユニットを吊り上げてトラックに積載した後、蓋部材を各台座の先端に取り付けることにより該先端を閉鎖する。これにより、カバー本体に設けられた袋部材の他端を紐で絞る場合における止水度に比べて各台座の先端の止水度をより確実に向上させることができるので、各建物ユニットの保管時及び輸送時に各挿通孔を経てカバー本体内に水が浸入することを確実に抑制することができる。また、袋部材とは異なり、トラックの走行時に受ける風によって大きく揺動することはないので、各蓋部材自体にばたつきが生じることが抑制される。これにより、袋部材のばたつき時のような騒音の発生を確実に防止することができる。
【特許文献１】特開２００５−２５６５３４号（第３−４頁、図１）
【発明の開示】
【発明が解決しようとする課題】
【０００８】
しかしながら、カバー本体に袋部材を設けた場合とカバー本体の外周面に台座及び蓋部材を設けた場合とのいずれの場合も、各建物ユニットの吊り上げ時に袋部材の他端及び台座の先端がそれぞれ開放しており、吊り具挿通孔が閉鎖されていないことから、各建物ユニットの吊り上げ時にカバー本体の挿通孔を経てカバー本体内に水が浸入する虞がある。
【０００９】
そこで、本発明の目的は、建物ユニットの保管時、吊り上げ時及び輸送時にカバー本体の吊り具挿通孔を経てカバー本体内に水が浸入することを防止することができる建物ユニット用保護カバーを提供することにある。
【課題を解決するための手段】
【００１０】
上記課題を解決するために、請求項１に記載の発明は、建物ユニットを覆うカバー本体と、該カバー本体に形成された吊り具挿通孔と、該吊り具挿通孔内にねじ込まれて前記建物ユニットに取り付けられる閉鎖部材とを備え、該閉鎖部材と前記カバー本体との間には、前記閉鎖部材及び前記カバー本体間を止水する止水手段が設けられ、前記止水手段は、前記吊り具挿通孔の縁部に水密的に設けられた環状の止水部材を備え、前記止水部材は、前記閉鎖部材をねじ込んだときに受ける前記建物ユニットへ向けての押圧力により弾性変形する変形部を有するとともに、周方向に伸びる環状の溝を有し、前記変形部は前記溝が広がるように弾性変形することを特徴とする。
【００１１】
請求項２に記載の発明は、請求項１に記載の発明において、前記止水手段は、前記閉鎖部材に形成されて前記止水部材を覆うように張り出す環状の張出部を備え、前記閉鎖部材をねじ込んだときに前記止水部材が前記閉鎖部材の前記張出部と前記建物ユニットとの間に挟持されることにより、前記閉鎖部材及び前記カバー本体間が止水されていることを特徴とする。
【００１２】
請求項３に記載の発明は、請求項２に記載の発明において、前記止水部材には、その径方向外方へ開放し、前記吊り具挿通孔の前記縁部が挿入される環状の溝が形成されており、該溝の互いに対向する内面には、それぞれ前記溝内に挿入された前記吊り具挿通孔の前記縁部を挟み込むべく該縁部に向けて突出する複数の突起部が形成されていることを特徴とする。
【００１３】
請求項４に記載の発明は、請求項２又は３に記載の発明において、前記止水部材は、前記吊り具挿通孔の前記縁部を補強するための環状の補強部材であることを特徴とする。
【００１４】
請求項５に記載の発明は、請求項１乃至４のいずれか一項に記載の発明において、前記止水手段は、前記閉鎖部材に形成されて前記吊り具挿通孔の縁部を覆うように張り出す環状の張出部を備え、前記閉鎖部材をねじ込んだときに前記止水部材が前記張出部と前記吊り具挿通孔の前記縁部との間に挟持されることにより、前記閉鎖部材及び前記カバー本体間が止水されていることを特徴とする。
【００１５】
請求項６に記載の発明は、請求項１乃至５のいずれか一項に記載の発明において、前記止水部材の内周面には、前記止水部材の内径が前記カバー本体の外方から内方へ向けて漸減するように傾斜する傾斜面が前記止水部材の周方向に沿って形成されていることを特徴とする。
【００１６】
請求項７に記載の発明は、請求項１乃至６のいずれか一項に記載の発明において、前記閉鎖部材は、前記建物ユニットを吊り上げるための吊り具であることを特徴とする。
【００１７】
請求項８に記載の発明は、請求項２乃至６のいずれか一項に記載の発明において、前記閉鎖部材は前記吊り具挿通孔を塞ぐための栓部材であり、該栓部材は、その前記カバー本体の外方側に位置する端面が前記止水部材の前記カバー本体の外方側に位置する面とほぼ面一になるように、前記建物ユニットに取り付けられていることを特徴とする。
【００１８】
請求項９に記載の発明は、請求項８に記載の発明において、前記止水部材の内周面には前記止水部材の内径が前記カバー本体の外方から内方へ向けて漸減するように傾斜する傾斜面が前記止水部材の周方向に沿って形成されており、前記張出部は、前記栓部材の前記端面を含む端部から前記止水部材の前記傾斜面上に張り出していることを特徴とする。
【００１９】
請求項１０に記載の発明は、請求項１乃至６のいずれか一項に記載の発明において、前記閉鎖部材は、前記建物ユニットを含む複数の建物ユニットを互いに積み重ねたときに該各建物ユニットを互いに連結するための連結部材であることを特徴とする。
【００２０】
請求項１１に記載の発明は、建物ユニットを覆い、吊り具挿通孔が形成されたカバー本体と、前記吊り具挿通孔の縁部に水密的に設けられ、該吊り具挿通孔内にねじ込まれて前記建物ユニットに取り付けられる閉鎖部材と前記カバー本体との間に設けられ、前記閉鎖部材及び前記カバー本体間を止水するための止水手段とを備え、前記止水手段は、前記吊り具挿通孔の縁部に水密的に設けられた環状の止水部材を備え、前記止水部材は、前記閉鎖部材をねじ込んだときに受ける前記建物ユニットへ向けての押圧力により弾性変形する変形部を有するとともに、周方向に伸びる環状の溝を有し、前記変形部は前記溝が広がるように弾性変形することを特徴とする。
また、請求項１２に記載の発明は、請求項１１に記載の建物ユニット用保護カバーにおいて、前記止水手段は、前記閉鎖部材に形成されて前記止水部材を覆うように張り出す環状の張出部を備え、前記閉鎖部材をねじ込んだときに前記止水部材が前記閉鎖部材の前記張出部と前記建物ユニットとの間に挟持されることにより、前記閉鎖部材及び前記カバー本体間が止水されていることを特徴とする。
また、請求項１３に記載の発明は、請求項１１又は請求項１２に記載の建物ユニット用保護カバーにおいて、前記止水手段は、前記閉鎖部材に形成されて前記吊り具挿通孔の縁部を覆うように張り出す環状の張出部を備え、前記閉鎖部材をねじ込んだときに前記止水部材が前記張出部と前記吊り具挿通孔の前記縁部との間に挟持されることにより、前記閉鎖部材及び前記カバー本体間が止水されていることを特徴とする。
また、請求項１４に記載の発明は、請求項１１乃至１３のいずれか一項に記載の建物ユニット用保護カバーにおいて、前記止水部材の内周面には、前記止水部材の内径が前記カバー本体の外方から内方へ向けて漸減するように傾斜する傾斜面が前記止水部材の周方向に沿って形成されていることを特徴とする。
【００２１】
請求項１５に記載の発明は、請求項１に記載の建物ユニット用保護カバーの止水構造を用いてユニット建物を構成する建物ユニットを搬送する方法であって、前記建物ユニットを建物ユニット用保護カバーのカバー本体により覆い、前記建物ユニットの吊り上げ時には、前記建物ユニット吊り上げるための吊り具を、前記カバー本体の吊り具挿通孔を経て前記建物ユニットにねじ込んだときに前記吊り具に形成された張出部から受ける前記建物ユニットへ向けた押圧力により、前記カバー本体に形成された吊り具挿通孔の縁部に設けられた環状の止水部材の変形部を、周方向に伸びる環状の溝を広げるように弾性変形させて前記張出部を前記カバー本体に水密的に当接させ、前記建物ユニットの輸送時には、前記吊り具に代えて、前記吊り具挿通孔を塞ぐための栓部材を前記カバー本体の吊り具挿通孔を経て前記建物ユニットにねじ込んだときに前記栓部材に設けられた張出部から受ける前記建物ユニットへ向けての押圧力により、前記カバー本体に形成された吊り具挿通孔の縁部に設けられた環状の止水部材の変形部を周方向に伸びる環状の溝を広げるように弾性変形させて前記張出部を前記カバー本体に水密的に当接させることを特徴とする。
【発明の効果】
【００２２】
請求項１に記載の発明によれば、建物ユニットに取り付けられる閉鎖部材とカバー本体との間に、閉鎖部材及びカバー本体間を止水する止水手段が設けられていることから、閉鎖部材が建物ユニットに取り付けられた状態では、閉鎖部材及びカバー本体間が止水部材の止水作用により止水されるので、吊り具挿通孔が閉鎖部材及び止水部材により水密的に閉鎖される。これにより、閉鎖部材に例えば建物ユニットの搬送時に該建物ユニットを吊り上げるための吊り具を用いた場合でも、建物ユニットの吊り上げ時に吊り具挿通孔を経てカバー本体内に水が浸入することを確実に防止することができる。また、閉鎖部材に建物ユニットの保管時及び輸送時に用いられる閉鎖部材を用いた場合でも、建物ユニットの保管時及び輸送時に吊り具挿通孔を経てカバー本体内に水が浸入することを確実に防止することができる。
さらに、止水部材が、閉鎖部材の張出部から受ける建物ユニットへ向けての押圧力により弾性変形する変形部を有することから、建物ユニットへの閉鎖部材の取付状態では、止水部材の変形部の変形により、閉鎖部材は止水部材から弾性反力を受ける。これにより、止水部材と閉鎖部材の張出部との密着度が高まるので、カバー本体及び閉鎖部材間の止水性をより向上させることができる。
【００２３】
請求項２に記載の発明によれば、止水手段が、吊り具挿通孔の縁部に水密的に設けられた環状の止水部材と、閉鎖部材に形成され、止水部材を覆うように張り出す環状の張出部とで構成されており、止水部材は、張出部及び建物ユニット間に挟持されることにより閉鎖部材及びカバー本体間を止水することから、建物ユニットへの閉鎖部材の取付け時に止水部材を張出部及び建物ユニット間に挟持することにより、吊り具及びカバー本体間を容易に止水することができる。
【００２４】
請求項３に記載の発明によれば、止水部材に形成された溝の互いに対向する内面に、それぞれ溝内に挿入された吊り具挿通孔の縁部を挟み込むべく該縁部に向けて突出する複数の突起部が形成されていることから、各突起部間に吊り具挿通孔の縁部を挟み込むことにより、止水部材とカバー本体との間をより確実に止水することができる。これにより、止水部材及びカバー本体間を通り吊り具挿通孔を経てカバー本体内に水が浸入することをより確実に防止することができる。
【００２５】
請求項４に記載の発明によれば、止水部材が吊り具挿通孔の縁部を補強するための環状の補強部材で構成されていることから、吊り具挿通孔の縁部を補強するために該縁部に設けられた補強部材に閉鎖部材及びカバー本体間の止水機能を担わせることができるので、吊り具挿通孔の縁部を補強することができることに加えて、閉鎖部材及びカバー本体間を止水することができる。
【００２６】
請求項５に記載の発明によれば、止水手段が、閉鎖部材に形成され、吊り具挿通孔の縁部を覆うように張り出す環状の張出部と、該張出部と吊り具挿通孔の縁部との間に配置された環状の止水部材とで構成されており、該止水部材が張出部と吊り具挿通孔の縁部との間に挟持されることにより、閉鎖部材及びカバー本体間が止水されていることから、建物ユニットへの閉鎖部材の取付け時に止水部材を張出部と吊り具挿通孔の縁部との間に挟持することにより、吊り具及びカバー本体間を容易に止水することができる。
【００２８】
請求項７に記載の発明によれば、閉鎖部材を、建物ユニットを吊り上げるための吊り具で構成することができる。これにより、建物ユニットの吊り上げ時に吊り具挿通孔を経てカバー本体内に水が浸入することを確実に防止することができる。
【００２９】
請求項８に記載の発明によれば、閉鎖部材は吊り具挿通孔を塞ぐための栓部材であり、該栓部材は、そのカバー本体の外方側に位置する端面が止水部材のカバー本体の外方側に位置する面とほぼ面一になるように建物ユニットに取り付けられている。
【００３０】
一般的に、建物ユニットは、輸送用のトラックに積載したときに輸送許可を得ることなく輸送可能な制限高さいっぱいの高さ寸法を有している。このため、従来のようにカバー本体に台座及び蓋部材が設けられた場合、台座及び蓋部材が建物ユニットの上方へ大きく突出してしまうため、建物ユニット全体の高さ寸法が制限高さを大きく超えてしまう。このため、建物ユニットをトラックで輸送するには輸送許可を得る必要がある。また、従来のようにカバー本体に袋部材が設けられた場合、建物ユニットから吊り具を取り外し、袋部材を折りたたむことにより、建物ユニット全体の高さ寸法を輸送許可を得ることなく輸送可能な大きさにすることができるが、前記したように袋部材の他端に止水性が確保されないため、建物ユニットの輸送時に吊り具挿通孔を経てカバー本体内に水が浸入する虞がある。
【００３１】
これに対し、本発明によれば、吊り具挿通孔を塞ぐための栓部材は、そのカバー本体の外方側に位置する端面が止水部材のカバー本体の外方側に位置する面とほぼ面一になるように建物ユニットに取り付けられていることから、栓部材が建物ユニットに取り付けられた状態では、栓部材が建物ユニットの上方に大きく突出することはないので、建物ユニット全体の高さ寸法が輸送許可を得ることなく輸送可能な大きさを大きく超えることはない。これにより、建物ユニットの輸送時に輸送許可を得る必要はない。また、建物ユニットへの栓部材の取付状態で栓部材及びカバー本体間が止水部材により止水されていることから、吊り具挿通孔が栓部材により水密的に閉鎖されているので、建物ユニットの輸送時に吊り具挿通孔を経てカバー本体内に水が浸入することを確実に防止することができる。
【００３２】
請求項９に記載の発明によれば、止水部材の内周面には止水部材の内径がカバー本体の外方から内方へ向けて漸減するように傾斜する傾斜面が止水部材の周方向に沿って形成されており、張出部は、栓部材の前記端面を含む端部から止水部材の傾斜面上に張り出していることから、張出部を止水部材の傾斜面に当接させることにより、建物ユニットへの栓部材の取付状態で栓部材の前記端面と止水部材の前記面とをより確実に面一にすることができる。また、止水部材は、その内縁部が張出部及び建物ユニット間に挟持されることにより栓部材及びカバー本体間を止水することから、止水部材を張出部及び建物ユニット間に挟持することにより、栓部材及びカバー本体間を容易に止水することができる。
【００３３】
請求項１０に記載の発明によれば、閉鎖部材を、建物ユニットを含む複数の建物ユニットを互いに積み重ねたときに該各建物ユニットを互いに連結するための連結部材で構成することができる。
【００３４】
従来のような袋部材が設けられたカバー本体で覆われた各建物ユニットをその例えば保管時に互いに積み重ねた場合、各建物ユニットが互いに連結されていないため、各建物ユニットに該各建物ユニットを互いにずらす方向に力が作用したとき、各建物ユニットが容易にずれてしまい、各建物ユニットが落下する虞がある。また、従来のような台座及び蓋部材が設けられたカバー本体で覆われた各建物ユニットをその例えば保管時に互いに積み重ねた場合、台座及び蓋部材が各建物ユニットから受ける荷重で破損する虞がある。
【００３５】
このため、各建物ユニットの保管時に各建物ユニットを並べて配置する必要があり、広い保管場所を確保する必要がある。
【００３６】
これに対し、本発明によれば、各建物ユニットの保管時、連結部材を各建物ユニットにカバー本体の外方から吊り具挿通孔を経て取り付け、各建物ユニットを互いに積み重ねることにより、各建物ユニットを連結部材により互いに連結することができる。これにより、各建物ユニットに該各建物ユニットを互いにずらす方向に力が作用した場合でも、各建物ユニットがずれることが防止されるので、各建物ユニットが落下することを防止することができる。また、連結部材は、各建物ユニットを互いに積み重ねたときに該各建物ユニットを互いに連結するための部材であることから、各建物ユニットを互いに積み重ねることによる従来のような破損を招くことはない。従って、各建物ユニットの保管時に各建物ユニットを積み重ねて配置することができるので、広い保管場所を確保する必要はない。
【００３７】
請求項１１に記載の発明によれば、閉鎖部材とカバー本体との間に、閉鎖部材及びカバー本体間を止水する止水手段が設けられていることから、閉鎖部材が建物ユニットに取り付けられた状態では、閉鎖部材及びカバー本体間が止水部材の止水作用により止水されるので、吊り具挿通孔が閉鎖部材及び止水部材により水密的に閉鎖される。これにより、閉鎖部材に例えば建物ユニットの搬送時に該建物ユニットを吊り上げるための吊り具を用いた場合でも、建物ユニットの吊り上げ時に吊り具挿通孔を経てカバー本体内に水が浸入することを確実に防止することができる。また、閉鎖部材に建物ユニットの保管時及び輸送時に用いられる閉鎖部材を用いた場合でも、建物ユニットの保管時及び輸送時に吊り具挿通孔を経てカバー本体内に水が浸入することを確実に防止することができる。
【００３８】
請求項１５に記載の発明によれば、建物ユニットを建物ユニット用保護カバーのカバー本体により覆い、建物ユニットの吊り上げ時には、建物ユニット吊り上げるための吊り具を、該吊り具に形成された張出部がカバー本体に形成された吊り具挿通孔の縁部に設けられた環状の止水部材に水密的に当接するように吊り具挿通孔を経て建物ユニットに取り付け、建物ユニットの輸送時には、吊り具に代えて、吊り具挿通孔を塞ぐための栓部材を、該栓部材に設けられた張出部が止水部材に水密的に当接するように吊り具挿通孔を経て建物ユニットに取り付けることにより、建物ユニットの吊り上げ時及び輸送時に吊り具及び栓部材とカバー本体との間が止水部材の止水作用により止水されるので、吊り具挿通孔が吊り具又は栓部材と止水部材とにより水密的に閉鎖される。これにより、建物ユニットの吊り上げ時及び輸送時に吊り具挿通孔を経てカバー本体内に水が浸入することを確実に防止することができる。
【発明を実施するための最良の形態】
【００３９】
本発明を図示の実施例に沿って説明する。
【実施例】
【００４０】
図１は、建物ユニット１１を例えば製造工場から施工現場に搬送する際に建物ユニット１１を保護するための保護カバー１０に本発明を適用した例を示す。
【００４１】
建物ユニット１１は、従来よく知られているように、他の複数の建物ユニットと共同して図示しないユニット建物を構成する箱状の建築部材であり、四つの周壁１２と、該周壁上に配置された板状の屋根１３とを有する。
【００４２】
屋根１３には、建物ユニット１１の搬送時に該建物ユニットを吊り上げるための吊り具１４を取り付けるための取付孔１５が形成されている。
【００４３】
吊り具１４は、図２に示す例では、従来よく知られたアイボルトで構成されており、環状部１６と、該環状部からその径方向外方へ伸び、取付孔１５内に挿入されるボルト部１７とを有する。環状部１６には、建物ユニット１１を吊り上げる図示しないクレーンのフックが引っ掛けられる。
【００４４】
取付孔１５は、図１に示す例では、屋根１３の四隅のそれぞれに形成されている。各取付孔１５の建物ユニット１１の内方側に位置する縁部１５ａには、図２に示すように、それぞれ各取付孔１５内に挿入された吊り具１４のボルト部１７に螺合するナット部材Ｎが設けられている。
【００４５】
保護カバー１０は、図１に示すように、建物ユニット１１を覆うカバー本体１８を備える。カバー本体１８は、例えばポリエチレン製の織布のように防水性を有する材料からなり、ほぼ矩形状をなし建物ユニット１１の屋根１３を覆うように配置されるシート状の頂部１９と、該頂部の各縁部１９ａから下方に伸び、それぞれが建物ユニット１１の各周壁１２を覆うように配置される四つのシート状の側部２０とを有し、全体的に、下方へ開放する箱状をなしている。
【００４６】
頂部１９の建物ユニット１１の屋根１３の各取付孔１５に対応する部分には、それぞれ吊り具１４のボルト部１７が挿通される挿通孔２１がそれぞれ形成されている。
【００４７】
吊り具１４は、図２に示すように、そのボルト部１７がカバー本体１８の各挿通孔２１及び各取付孔１５に挿入されて各ナット部材Ｎに螺合されることにより、建物ユニット１１にカバー本体１８上から固定される。
【００４８】
本発明に係る保護カバー１０には、吊り具１４及びカバー本体１８間を止水するための止水手段が設けられている。
【００４９】
止水手段は、図２に示す例では、頂部１９に形成された各挿通孔２１の縁部２１ａに設けられた環状の止水部材２２と、吊り具１４のボルト部１７の基端部１７ａから各止水部材２２の内縁部２２ｄをそのカバー本体１８の外方側から覆うように張り出す環状の張出部２８とで構成されている。
【００５０】
各止水部材２２は、図示の例では、それぞれ例えばステンレススチールからなり、各挿通孔２１の縁部２１ａを補強するための補強部材で構成されている。
【００５１】
各止水部材２２の外縁部２２ａには、各挿通孔２１の縁部２１ａに固定される固定部２３が形成されている。固定部２３は、図示の例では、各止水部材２２の外周面２２ｂに開放し且つ各止水部材２２の周方向に伸びるように形成され、カバー本体１８の各挿通孔２１の縁部２１ａが挿入される環状の溝２４を有する。溝２４の互いに対向する内面２４ａには、それぞれ溝２４内に挿入された各挿入孔２１の縁部２１ａに向けて突出し、該縁部を挟み込むための複数の突起部２４ｂが形成されている。各突起部２４ｂは、それぞれ例えばゴムのように不透水性を有する材料で形成されている。各止水部材２２は、それぞれの固定部２３の溝２４内でカバー本体１８の各挿通孔２１の縁部２１ａを各突起部２４ｂ間に挟み込むことにより、各挿通孔２１の縁部２１ａに水密的に固定されている。
【００５２】
各止水部材２２の内周面２２ｃには、図示の例では、各止水部材２２の内径がカバー本体１８の外方から内方へ向けて漸減するように傾斜する傾斜面２５が各止水部材２２の周方向に沿って形成されている。傾斜面２５は、後述する栓部材２９の張出部３１に当接可能である。
【００５３】
各止水部材２２の内縁部２２ｄにおけるカバー本体１８の内方側の内方面２２ｅには、それぞれ各止水部材２２の周方向に伸びる環状の溝２６が形成されている。これにより、各止水部材２２の内縁部２２ｄには、それぞれカバー本体１８の外方側から外力が作用したときに容易に弾性変形可能な変形部２７が形成されている。
【００５４】
各吊り具１４のボルト部１７に形成された張出部２８は、建物ユニット１１への吊り具１４の取付状態で各止水部材２２の内縁部２２ｄにカバー本体１８の外方から当接する。
【００５５】
建物ユニット１１を搬送する際、該建物ユニットにカバー本体１８を被せ、各吊り具１４を建物ユニット１１にカバー本体１８上から前記したように取り付ける。このとき、各ナット部材Ｎへの各吊り具１４のボルト部１７のねじ込みにより、各止水部材２２の内縁部２２ｄを各吊り具１４の張出部２８と建物ユニット１１の屋根１３との間で挟持する。これにより、各吊り具１４の張出部２８と各止水部材２２とが互いに密着するので、各吊り具１４及びカバー本体１８間が各止水部材２２により水密的に封止される。また、各止水部材２２の内縁部２２ｄには、前記したように、それぞれ弾性変形可能な変形部２７が形成されていることから、各吊り具１４のボルト部１７を各ナット部材Ｎにねじ込んだとき、各止水部材２２の内縁部２２ｄが各吊り具１４の張出部２８から受ける建物ユニット１１の屋根１３へ向けての押圧力により、溝２６が広がるように変形部２７が弾性変形する。これにより、各吊り具１４の張出部２８には、各止水部材２２の変形部２７から弾性反力が作用するので、各吊り具１４の張出部２８と各止水部材２２との間の密着度が向上する。
【００５６】
次に、各吊り具１４の環状部１６に前記クレーンのフックを引っ掛けることにより建物ユニット１１を吊り上げ、該建物ユニットを輸送用の図示しないトラックに積載する。その後、建物ユニット１１を例えば施工現場に前記トラックにより輸送することにより、建物ユニット１１の搬送が終了する。
【００５７】
建物ユニット１１を輸送するとき又は保管場所に保管するとき、図３に示すように、各吊り具１４に代えて、カバー本体１８の各挿通孔２１を塞ぐための前記した栓部材２９を建物ユニット１１に取り付けることができる。
【００５８】
栓部材２９は、図示の例では、円柱状をなしており、その軸線を建物ユニット１１の屋根１３の板厚方向にほぼ一致させてカバー本体１８の各挿通孔２１に設けられた各止水部材２２及び建物ユニット１１の各取付孔１５内に挿入されている。栓部材２９の下端部２９ａには、各ナット部材Ｎに螺合可能な雄ねじ部３０が形成されている。栓部材２９の上端部２９ｂの端面２９ｃには、横断面が六角形をなした六角穴Ｈが形成されている。六角穴３０には、雄ねじ部３０をナット部材Ｎに螺合させるべく栓部材２９を回転させるための例えば図示しない六角レンチが嵌合される。
【００５９】
また、栓部材２９の上端部２９ｂには、該上端部から各止水部材２２に形成された傾斜面２５上に張り出す環状の張出部３１が形成されている。張出部３１は、栓部材２９の上端部２９ｂの端面２９ｃに連続する上面３１ａを有し、その下面は、建物ユニット１１への栓部材２９の取付状態で各止水部材２２の傾斜面２５に当接すべく栓部材２９の軸線に関して傾斜している。
【００６０】
栓部材２９の軸線に沿った長さ寸法は、張出部３１の下面すなわち当接面３２が止水部材２２の傾斜面２５に当接した状態で、栓部材２９の上端部２９ｂの端面２９ｃ及び張出部３１の上面３１ａが止水部材２２の内方面２２ｅと反対側に位置する外方面２２ｆとほぼ面一になるように設定されている。
【００６１】
建物ユニット１１の輸送時又は保管時、各栓部材２９を建物ユニット１１にカバー本体１８上から取り付ける。このとき、各ナット部材Ｎへの各栓部材２９の雄ねじ部３０のねじ込みにより、各止水部材２２の傾斜面２５に各栓部材２９の張出部３１から建物ユニット１１の屋根１３に向けて押圧力が作用する。これにより、各栓部材２９の張出部３１と各止水部材２２とが互いに密着するので、各栓部材２９及びカバー本体１８間が各止水部材２２により水密的に封止される。また、各栓部材２９を各ナット部材Ｎにねじ込んだとき、各止水部材２２の傾斜面２５が各栓部材２９の張出部３１から受ける押圧力により、溝２６が広がるように変形部２７が弾性変形する。これにより、各栓部材２９の張出部３１には、各止水部材２２の変形部２７から弾性反力が作用するので、各栓部材２９の張出部３１と各止水部材２２との間の密着度が向上する。
【００６２】
また、建物ユニット１１の保管時、各吊り具１４及び各栓部材２９に代えて、図４に示すように、建物ユニット１１を含む複数の建物ユニット１１を互いに積み重ねたときに該各建物ユニットを互いに連結するための連結部材３３を建物ユニット１１に取り付けることができる。
【００６３】
連結部材３３は、図示の例では、棒状をなしており、その軸線を建物ユニット１１の屋根１３の板厚方向にほぼ一致させ且つ上端部３３ｂをカバー本体１８の頂部１９からその上方へ突出させて各止水部材２２及び建物ユニット１１の各取付孔１５内に挿入されている。連結部材３３の下端部３３ａには、ナット部材Ｎに螺合可能な雄ねじ部３４が形成されている。連結部材３３の上端部３３ｂには、その先端に向けて先細る先細り部３５が形成されている。先細り部３５は、各建物ユニット１１を互いに積み重ねたとき、各建物ユニット１１上に載置された他の建物ユニット１１の底壁３７に食い込む。また、連結部材３３には、各止水部材２２の内縁部２２ｄをそのカバー本体１８の外方側から覆うように張り出し、建物ユニット１１への連結部材３３の取付状態で内縁部２２ｄに当接する環状の張出部３６が形成されている。
【００６４】
各建物ユニット１１を保管する際、各連結部材３３をそれぞれカバー本体１８の各挿通孔２１及び建物ユニット１１の各取付孔１５内に挿入し、雄ねじ部３４をナット部材Ｎに螺合することにより、各連結部材３３を各建物ユニット１１に取り付ける。このとき、各ナット部材Ｎへの各連結部材３３の雄ねじ部３４のねじ込みにより、各止水部材２２の内縁部２２ｄを各連結部材３３の張出部３６と建物ユニット１１の屋根１３との間で挟持する。これにより、各連結部材３３の張出部３６と各止水部材２２とが互いに密着するので、各連結部材３３及びカバー本体１８間が各止水部材２２により水密的に封止される。また、各連結部材３３を各ナット部材Ｎにねじ込んだとき、各止水部材２２の内縁部２２ｄが各連結部材３３の張出部３６から受ける押圧力により、溝２６が広がるように変形部２７が弾性変形する。これにより、各連結部材３３の張出部３６には、各止水部材２２の変形部２７から弾性反力が作用するので、各連結部材３３の張出部３６と各止水部材２２との間の密着度が向上する。
【００６５】
次に、各建物ユニット１１を互いに積み重ねる。このとき、各連結部材３３の先細り部３５を、各建物ユニット１１上に載置される他の建物ユニット１１から受ける荷重により該他の建物ユニットの底壁３７に食い込ませる。これにより、各建物ユニット１１が互いに連結される。
【００６６】
本発明によれば、前記したように、カバー本体１８に形成された各挿通孔２１の縁部２１ａに環状の止水部材２２が設けられており、該止水部材の止水作用により各吊り具１４、各栓部材２９及び各連結部材３３とカバー本体１８との間が止水されるので、建物ユニット１１への各吊り具１４、各栓部材２９及び各連結部材３３の取付状態で各挿通孔２１を水密的に閉鎖することができる。
【００６７】
これにより、建物ユニット１１の保管時、吊り上げ時及び輸送時に、各挿通孔２１を経てカバー本体１８内に水が浸入することを確実に防止することができる。
【００６８】
また、前記したように、各吊り具１４、各栓部材２９及び各連結部材３３のそれぞれに形成された張出部２８，３１，３６と建物ユニット１１の屋根１３との間に各止水部材２２を挟持することにより各吊り具１４、各栓部材２９及び各連結部材３３とカバー本体１８との間の止水性を確保していることから、各吊り具１４、各栓部材２９及び各連結部材３３とカバー本体１８との間を容易に止水することができる。
【００６９】
更に、前記したように、各栓部材２９の軸線に沿った長さ寸法は、張出部３１の当接面３２が止水部材２２の傾斜面２５に当接した状態で、栓部材２９の上端部２９ｂの端面２９ｃ及び張出部３１の上面３１ａが止水部材２２の外方面２２ｆとほぼ面一になるように設定されている。
【００７０】
一般的に、建物ユニット１１は、輸送用の前記トラックに積載したときに輸送許可を得ることなく輸送可能な制限高さいっぱいの高さ寸法を有している。このため、従来のようにカバー本体に台座及び蓋部材が設けられた場合、台座及び蓋部材が建物ユニット１１の上方へ大きく突出してしまうため、建物ユニット１１全体の高さ寸法が制限高さを大きく超えてしまう。このため、建物ユニット１１を前記トラックで輸送するには輸送許可を得る必要がある。また、従来のようにカバー本体に袋部材が設けられた場合、建物ユニット１１から吊り具を取り外し、袋部材を折りたたむことにより、建物ユニット１１全体の高さ寸法を輸送許可を得ることなく輸送可能な大きさにすることができるが、袋部材の他端に止水性が確保されないため、建物ユニット１１の輸送時に吊り具挿通孔を経てカバー本体内に水が浸入する虞がある。
【００７１】
これに対し、本発明によれば、栓部材２９の上端部２９ｂの端面２９ｃ及び張出部３１の上面３１ａが止水部材２２の外方面２２ｆとほぼ面一であることから、栓部材２９が建物ユニット１１に取り付けられた状態では、栓部材２９が建物ユニット１１の上方に大きく突出することはないので、建物ユニット１１全体の高さ寸法が輸送許可を得ることなく輸送可能な大きさを大きく超えることはない。これにより、建物ユニット１１の輸送時に輸送許可を得る必要はない。また、建物ユニット１１への栓部材２９の取付状態で栓部材２９及びカバー本体１８間が止水部材２２により止水されていることから、各挿通孔２１が栓部材２９により水密的に閉鎖されているので、建物ユニット１１の輸送時に各挿通孔２１を経てカバー本体１８内に水が浸入することを確実に防止することができる。
【００７２】
また、前記したように、建物ユニット１１への栓部材２９の取付状態で、栓部材２９に形成された張出部３１を止水部材２２の内周面２２ｃに形成された傾斜面２５に当接させることにより、栓部材２９の前記端面と止水部材の前記面とをより確実に面一にすることができる。
【００７３】
更に、前記したように、建物ユニット１１の各取付孔１５にカバー本体１８の各挿通孔２１を経て連結部材３３を取り付け、複数の建物ユニット１１を互いに積み重ね、該連結部材の先細り部３５を各建物ユニット１１上に載置された他の建物ユニット１１の底壁３７に食い込ませることにより、各建物ユニット１１を互いに連結することができる。
【００７４】
従来のような袋部材が設けられたカバー本体で覆われた各建物ユニット１１をその保管時に互いに積み重ねた場合、各建物ユニット１１が互いに連結されていないため、各建物ユニット１１に該各建物ユニットを互いにずらす方向に力が作用したとき、各建物ユニット１１が容易にずれてしまい、各建物ユニット１１が落下する虞がある。また、従来のような台座及び蓋部材が設けられたカバー本体で覆われた各建物ユニット１１をその保管時に互いに積み重ねた場合、台座及び蓋部材が各建物ユニット１１から受ける荷重で破損する虞がある。
【００７５】
このため、各建物ユニット１１の保管時に該各建物ユニットを互いに積み重ねることができず、各建物ユニット１１を互いに並べて配置する必要があるため、広い保管場所を確保する必要がある。
【００７６】
これに対し、本発明によれば、各建物ユニットの保管時、互いに積み重ねた各建物ユニット１１を連結部材３３により互いに連結することができるので、各建物ユニット１１に該各建物ユニットを互いにずらす方向に力が作用した場合でも各建物ユニット１１がずれることが防止され、各建物ユニット１１が落下することを防止することができる。また、連結部材３３は、各建物ユニット１１を互いに積み重ねたときに該各建物ユニット上に載置された他の建物ユニット１１から受ける荷重を利用して各建物ユニット１１を互いに連結していることから、各建物ユニット１１を互いに積み重ねることによる従来のような破損を招くことはない。従って、各建物ユニットの保管時に各建物ユニットを積み重ねて配置することができるので、広い保管場所を確保する必要はない。
【００７７】
また、前記したように、止水部材２２に形成された溝２４の互いに対向する内面２４ａに、それぞれ溝２４内に挿入された挿通孔２１の縁部２１ａを挟み込むべく該縁部に向けて突出する複数の突起部２４ｂが形成されていることから、各突起部２４ｂ間に挿通孔２１の縁部２１ａを挟み込むことにより、止水部材２２とカバー本体１８との間をより確実に止水することができる。これにより、止水部材２２及びカバー本体１８間を通り挿通孔２１を経てカバー本体１８内に水が浸入することをより確実に防止することができる。
【００７８】
更に、前記したように、止水部材２２が挿通孔２１の縁部２１ａを補強するための環状の補強部材で構成されていることから、挿通孔２１の縁部２１ａを補強するために該縁部に設けられた補強部材に各吊り具１４、各栓部材２９及び各連結部材３３とカバー本体１８との間の止水機能を担わせることができるので、挿通孔２１の縁部２１ａを補強することができることに加えて各吊り具１４、各栓部材２９及び各連結部材３３とカバー本体１８との間を止水することができる。
【００７９】
また、前記したように、止水部材２２に形成された変形部２７の変形により各吊り具１４、各栓部材２９及び各連結部材３３と各止水部材２２との密着度が高まることから、各吊り具１４、各栓部材２９及び各連結部材３３とカバー本体１８との止水性をより向上させることができる。
【００８０】
本実施例では、カバー本体１８の頂部１９に建物ユニット１１の屋根１３の各取付孔１５に対応する部分で挿通孔２１が形成されており、各挿通孔２１の縁部２１ａに止水部材２２が直接設けられた例を示したが、これに代えて、図５に示すように、カバー本体１８の頂部１９に、建物ユニット１１の屋根１３の各取付孔１５（図１参照。）に対応する位置でそれぞれ開口３８を形成し、カバー本体１８に各開口３８を閉鎖するシート部材３９を設け、該各シート部材に各取付孔１５に整合する挿通孔４０を形成し、該各挿通孔の縁部４０ａに止水部材２２を設けることができる。
【００８１】
各開口３８は、図示の例では、それぞれ矩形状をなしている。各シート部材３９は、図示の例では、ゴムのように伸縮性を有する材料からなり、その縁部３９ａで各開口３８の縁部３８ａに縫合されている。
【００８２】
図５に示す例によれば、各挿通孔４０が伸縮性を有するシート部材３９に形成されていることから、カバー本体１８に引っ張り力が作用したとき、各止水部材２２内に挿入された各吊り具１４、各栓部材２９又は各連結部材３３（図２乃至図４参照。）から各止水部材２２に作用する力が、該各止水部材を介して各シート部材３９に該シート部材を伸ばす力として作用する。これにより、各吊り具１４、各栓部材２９又は各連結部材３３から各止水部材２２に作用する力が各シート部材３９の伸び変形により該各シート部材で吸収されるので、カバー本体１８に引っ張り力が作用したときに各吊り具１４、各栓部材２９又は各連結部材３３から各止水部材２２を介してカバー本体１８に作用する引っ張り力により該カバー本体が破損することを確実に防止することができる。
【００８３】
また、本実施例では、止水部材２２がステンレススチールからなる補強部材で構成された例を示したが、これに代えて、各吊り具１４、各栓部材２９及び各連結部材３３とカバー本体１８との間の止水機能を有する部材であれば、例えば合成樹脂からなる補強部材、又は、補強部材以外の部材を本発明に適用することができる。
【００８４】
更に、本実施例では、各吊り具１４、各栓部材２９及び各連結部材３３とカバー本体１８との間を止水するための止水手段が、各挿通孔２１の縁部２１ａに設けられた環状の止水部材２２と、吊り具１４のボルト部１７に形成された環状の張出部２８とで構成された例を示したが、これに代えて、図６に示すように、各吊り具１４に形成され、各挿通孔２１の縁部２１ａを覆うように張り出す環状の張出部４１と、該張出部と挿通孔２１の縁部２１ａとの間に配置された環状の止水部材４２とで構成することができる。
【００８５】
この場合、建物ユニット１１への吊り具１４の取り付け時に、止水部材４２を張出部４１と挿通孔２１の縁部２１ａとの間に挟持することにより、吊り具１４及びカバー本体１８間を止水することができる。
【００８６】
止水部材４２には、図１乃至図４で示した止水部材２２に形成された変形部２７と同様に、吊り具１４の張出部４１との密着性を高めるための変形部４３が形成されている。また、止水部材４２は、建物ユニット１１への吊り具１４の取付け時に吊り具１４の張出部２８とカバー本体１８との間に配置され、又は、吊り具１４の張出部４１又は各挿通孔２１の縁部２１ａに予め取り付けられる。
【００８７】
図６に示す例において、建物ユニットの輸送時及び保管時には、図３及び図４に示した例と同様に、吊り具１４に代えて栓部材２９及び連結部材３３を用いることができる。
【図面の簡単な説明】
【００８８】
【図１】本発明に係る保護カバーを概略的に示す斜視図である。
【図２】本発明に係る建物ユニットの吊り具が取り付けられた状態を概略的に示す縦断面図である。
【図３】本発明に係る建物ユニットに栓部材が取り付けられた状態を概略的に示す縦断面図である。
【図４】本発明に係る建物ユニットに連結部材が取り付けられた状態を概略的に示す縦断面図である。
【図５】カバー本体の別の実施例を概略的に示す斜視図である。
【図６】図１乃至図４に示す止水手段とは別の例を概略的に示す縦断面図である。
【符号の説明】
【００８９】
１０  建物ユニット用保護カバー（保護カバー）
１１  建物ユニット
１４，２９，３３  閉鎖部材（吊り具、栓部材、連結部材）
１８  カバー本体
２１  吊り具挿通孔（挿通孔）
２１ａ  縁部（挿通孔の縁部）
２２，２８，３１，３６  止水手段（止水部材、張出部）
２４  溝
２４ａ  内面
２４ｂ  突起部
２５  傾斜面
２７  変形部
【図１】
0004781122.tif 000002
【図２】
0004781122.tif 000003
【図３】
0004781122.tif 000004
【図４】
0004781122.tif 000005
【図５】
0004781122.tif 000006
【図６】
0004781122.tif 000007